(57)【要約】      （修正有）【課題】静脈パターンの読み取りエラーや誤認識を防ぐ構造を備えた、新たな手のひら静脈認証式のタイムレコーダを提供する。【解決手段】手のひら静脈認証式のタイムレコーダは、現在時刻等を表示可能な情報表示部５１と、情報表示部５１の隣に位置し、認証対象である手のひらを位置決めするための手のひらガイド７と、手のひらガイド７によって位置決めされた手のひらと向かい合うように配置され、手のひらから静脈パターンを読み取るための生体認証部を有する。手のひらガイド７は、手のひら認証を実施する際に手首を支える手首支持部７３と、手のひら認証を実施する際に指を支える指支持部７５を有する。手首支持部７３には、手のひらが位置ズレしないように手首をホールドするための隆起部７６、７７が形成されており、また、その部位が手首位置であることを示す注意喚起表示部７９が設けられている。【選択図】図２
0003227211.tif 000002
【実用新案登録請求の範囲】
【請求項１】
生体認証機能を備えたタイムレコーダであって、
少なくとも現在時刻を表示可能な情報表示部と、
認証対象の手のひらを位置決めするための手のひらガイドと、
前記手のひらガイドによって位置決めされた手のひらから静脈パターンを読み取るための生体認証部と、
を有することを特徴とする、手のひら静脈認証式のタイムレコーダ。
【請求項２】
前記手のひらガイドは、
手のひら認証を実施する際に手首を支える手首支持部と、
手のひら認証を実施する際に指を支える指支持部と、
を有することを特徴とする請求項１に記載の、手のひら静脈認証式のタイムレコーダ。
【請求項３】
前記手首支持部には、
手のひらが位置ズレしないように手首を固定するための隆起部が形成されている、
ことを特徴とする請求項２に記載のタイムレコーダ。
【請求項４】
前記手首支持部には、
その部位が手首位置であることを示す注意喚起が表示されている、
ことを特徴とする請求項２又は３に記載のタイムレコーダ。
【請求項５】
前記タイムレコーダは、タブレットタイプの情報端末を含んで構成され、
前記情報表示部は、前記タブレット端末が具備するタッチパネルで構成されている、
ことを特徴とする請求項１乃至４の何れかに記載のタイムレコーダ。
【考案の詳細な説明】
【技術分野】
【０００１】
本考案は、会社等における正規雇用従業員（正社員等）、非正規雇用従業員（パート、アルバイト等）、派遣労働者、その他の労働者の勤怠管理に利用可能な、生体認証式のタイムレコーダに関するものである。
【背景技術】
【０００２】
一般的に知られた労働者の勤怠管理方法の代表例としては、タイムカードを使った勤怠管理が挙げられる。タイムカードを使った勤怠管理では、打刻装置であるタイムレコーダを使って、勤務開始時刻（出社時間）や勤務終了時刻（退社時間）をタイムカードに打刻する。
【０００３】
近年では、上記のような印字式のタイムレコーダに代わって、手のひら静脈認証式のタイムレコーダが普及しつつある。この手のひら静脈認証式のタイムレコーダは、対象者の手のひらから静脈パターンを読み取る生体認証センサーを備えており、タイムレコーダの所定部位（生体認証センサーが露出している箇所）に労働者が手をかざすことで、手のひらから静脈パターンを読み取って生体認証を実行する。そして、その認証時の時刻が出退勤の時刻として記録（打刻）される。
【考案の概要】
【考案が解決しようとする課題】
【０００４】
手のひら静脈認証式のタイムレコーダは、打刻のトリガーとして、タイムカードやＩＣカードの代わりに、出退勤する労働者が手のひらをかざす動作（認証動作）を必要とする。そのため、このタイムレコーダを労働者が使う際には、生体認証センサーに対し自己の手のひらをかざし、静脈パターンを登録するが必要となる。この初期登録の後、タイムカードの生体認証センサーに対し手のひらをかざすことで、本人認証が行われるとともに、その時の時刻が打刻情報として記録される。
【０００５】
静脈認証式のタイムレコーダによる本人認証の際、生体認証センサーに対する手のひらの位置は、静脈パターンを登録した時と同じ位置である必要があるが、生体認証センサーに対し手のひらの位置がズレていると、静脈パターンの読み取りがエラーとなって、再度の認証を求められることがあり、また、場合によっては他人と誤認識するといった致命的な問題があった。
【０００６】
そこで、上述した課題に鑑み、本考案の目的は、静脈パターンの読み取りエラーや誤認識を防ぐ構造を備えた、新たな手のひら静脈認証式のタイムレコーダを提供することにある。
【課題を解決するための手段】
【０００７】
上記目的は、生体認証機能を備えたタイムレコーダであって、
少なくとも現在時刻を表示可能な情報表示部と、
認証対象である手のひらを位置決めするための手のひらガイドと、
前記手のひらガイドによって位置決めされた手のひらから静脈パターンを読み取るための生体認証部と、
を有する手のひら静脈認証式のタイムレコーダによって達成される。
【０００８】
上記手のひら静脈認証式のタイムレコーダにおいて、
手のひらガイドは、
手のひら認証を実施する際に手首を支える手首支持部と、
手のひら認証を実施する際に指を支える指支持部と、
を有している。
【０００９】
また、上記手のひら静脈認証式のタイムレコーダにおいて、
手首支持部には、手のひらが位置ズレしないように手首を固定するための隆起部が形成されている。
【００１０】
また、上記手のひら静脈認証式のタイムレコーダにおいて、
手首支持部には、その部位が手首位置であることを示す注意喚起が表示されている。
【００１１】
また、上記手のひら静脈認証式のタイムレコーダは、タブレットタイプの情報端末を含んで構成され、情報表示部は、前記タブレット端末が具備するタッチパネルで構成されている。
【考案の効果】
【００１２】
本考案の手のひら静脈認証式のタイムレコーダは、認証対象である手のひらを静止した状態に保つための「手のひらガイド」を備えていて、この手のひらガイドによって、手のひらが所定の正対位置に位置決めされ、かつ、手のひらが保持され、その状態で手のひらから静脈パターンを読み取るようになっている。したがって、生体認証センサーに対し手のひらの位置がズレことがなく、また、生体認証センサーに対し手のひらが常に同じ位置関係で正対するので、静脈パターンの読み取りエラーや誤認識を防ぐことができる、といった優れた効果が達成される。
【図面の簡単な説明】
【００１３】
【図１】本考案に係る手のひら静脈認証式のタイムレコーダの使用例を示す図である。
【図２】本考案に係る手のひら静脈認証式のタイムレコーダを示す斜視図である。
【図３】本考案に係る手のひら静脈認証式のタイムレコーダを示す斜視図であって、手のひらをタイムレコーダのガイドに添えて本人認証している様子を示している。
【図４】本考案に係る手のひら静脈認証式のタイムレコーダの機能的構成を示すブロック図である。
【考案を実施するための形態】
【００１４】
本考案に係るタイムレコーダは、生体認証機能の一種である手のひら静脈認証機能を備えたタイムレコーダである。このタイムレコーダは、出退勤する労働者が手のひらをかざす動作に応じて本人認証（生体認証）を実行し、そのときの打刻情報等の勤怠情報を、図１に示すようにインターネット経由でサーバ装置に送信する。打刻情報等の勤怠情報は、自己の情報記録媒体（ストレージ）に記憶することも可能である。
【００１５】
手のひら静脈認証式のタイムレコーダは、図２〜図４に示すように、
・筐体３と
・各種情報を表示可能であるとともに入力可能なタブレット端末５と、
・本人認証を行う労働者の手のひらを保持する手のひらガイド７と、
・手のひらから静脈パターンを読み取る静脈認証センサー９（生体認証部）を
有している。
【００１６】
筐体３は、タブレット端末５と静脈認証センサー９を内部に有しており、手のひらガイド７が外側に固定されている。筐体３には矩形開口部１１が形成されており、この矩形開口部１１を介してタブレット端末５の情報表示部５１が外側に露出するように、筐体３内にタブレット端末が固定されている。
【００１７】
携帯情報端末としても利用可能なタブレット端末５は、図４に示すように、
・タッチセンサーを備えた情報表示部５１（タッチパネル）と、
・インターネットにアクセスするための無線通信部５３と、
・静脈認証センサー９を接続するための外部接続端子５５と、
・打刻情報等の勤怠情報を記憶するための情報記憶媒体５７（ストレージ）と、
・上記各部を制御するための制御部であるプロセッサ５９を
を有している。
【００１８】
タブレット端末５の情報表示部５１（タッチパネル）は、図２に示すように、筐体３の矩形開口部１１を介して外側に露出している。したがって、本人認証を行う労働者（出退勤する労働者）は、情報表示部５１に表示された情報を見ることができ、また、タッチセンサーを備えた情報表示部５１を通じて情報を入力することができる。この情報表示部５１には、認証時の日付けや現在時刻、その他の勤怠管理に関する各種情報を表示することが可能である。
【００１９】
このように、情報の表示手段・入力手段として、一般的に入手可能なタブレット端末を活用することで、手のひら静脈認証式のタイムレコーダを低コストで提供することが可能になる。
【００２０】
タブレット端末５に電気的に接続された静脈認証センサー９（生体認証部）は、手のひらガイド７によって位置決めされ且つ保持された手のひらから、静脈パターンを読み取ることができる。
【００２１】
手のひらガイド７は、認証対象である手のひらを静脈認証センサー９に対し常に同じ正対位置に位置決めする役割を担うものであり、図２に示すように、筐体３の矩形開口部１１の隣に位置するように固定されている。
【００２２】
手のひらガイド７は、
・静脈認証センサー９が底部で露出している認証用開口部７１と、
・手のひら認証を実施する際に手首を支える手首支持部７３と、
・手のひら認証を実施する際に中指を支える指支持部７５を
有している。
【００２３】
手のひらガイド７の手首支持部７３には、手のひらが位置ズレしないように手首を固定するための隆起部７６，７７が形成されている。このような隆起部７６，７７が形成してあることで、図３に示すように、手のひらをいったんガイド７に添えた後は、手のひらの付け根が、隆起部７６，７７によって確りとホールドされ、手のひらが前後左右にズレることがない。したがって、静脈パターンの読み取りエラーや、誤認識の発生確率を大幅に低減できる。
【００２４】
また、手首支持部７３には、その部位が手首位置であることを示す注意喚起７９が表示されている。このような注意喚起表示７９があることで、手首支持部７３に、手首以外の部位を無理矢理に押し込むことがなくなって、読み取りエラーや誤認識をより確実に防ぐことができる。
【符号の説明】
【００２５】
３      筐体
５      タブレット端末（情報端末）
７      手のひらガイド
９      静脈認証センサー（生体認証部）
１１    矩形開口部
５１    情報表示部（タッチパネル）
５３    無線通信部
５５    外部接続端子
５７    情報記憶媒体（ストレージ）
５９    プロセッサ
７１    認証用開口部
７３    手首支持部
７５    指支持部
７６    隆起部
７７    隆起部
７９    注意喚起表示部
【図１】
0003227211.tif 000003
【図２】
0003227211.tif 000004
【図３】
0003227211.tif 000005
【図４】
0003227211.tif 000006
【手続補正書】
【提出日】令和2年5月12日(2020.5.12)
【手続補正１】
【補正対象書類名】実用新案登録請求の範囲
【補正対象項目名】全文
【補正方法】変更
【補正の内容】
【実用新案登録請求の範囲】
【請求項１】
生体認証機能を備えたタイムレコーダであって、
少なくとも現在時刻を表示可能な情報表示部と、
前記情報表示部の隣に位置するように配置されており、認証対象の手のひらを位置決めするための手のひらガイドと、
前記手のひらガイドによって位置決めされた手のひらと向かい合うように配置されており、当該手のひらから静脈パターンを読み取るための生体認証部と、
を有することを特徴とする、手のひら静脈認証式のタイムレコーダ。
【請求項２】
前記手のひらガイドは、
手のひら認証を実施する際に手首を支える手首支持部と、
手のひら認証を実施する際に指を支える指支持部と、
を有することを特徴とする請求項１に記載の、手のひら静脈認証式のタイムレコーダ。
【請求項３】
前記手首支持部には、
手のひらが位置ズレしないように手首を固定するための隆起部が形成されている、
ことを特徴とする請求項２に記載のタイムレコーダ。
【請求項４】
前記手首支持部には、
その部位が手首位置であることを示す注意喚起が表示されている、
ことを特徴とする請求項２又は３に記載のタイムレコーダ。
【請求項５】
前記タイムレコーダは、タブレットタイプの情報端末を含んで構成され、
前記情報表示部は、前記タブレット端末が具備するタッチパネルで構成されている、
ことを特徴とする請求項１乃至４の何れかに記載のタイムレコーダ。